(57)【要約】【課題】  情報通信装置が、通信回線経由でカラー画像データを受信した場合、ユーザが、情報通信装置の表示画面で、画像を閲覧するときに、閲覧した画像が、自分がデジカメで撮影した撮影画像であるのか、それとも受信画像であるのかという区別を、ユーザが行うことが容易であり、また、受信画像であれば、その画像データの送信者名等を確認することができる情報通信装置を提供することを目的とするものである。【解決手段】  通信回線経由で、カラー画像を送受信可能な情報通信装置において、着脱可能な記録メディアに、デジタルデータを読み書きする読み書き手段と、画像データ受信時に、その通信に関する受信情報を取得する受信情報取得手段と、上記取得した受信情報と、受信画像データとを、互いに関連付けて、上記記録メディアに書き込む書き込み手段とを有することを特徴とする情報通信装置である。【選択図】  図１
2006165794.tif 000002
【特許請求の範囲】
【請求項１】
通信回線経由で、画像データを送受信可能な情報通信装置において、
デジタルカメラで利用可能であり、かつ、着脱可能な記録メディアに、デジタルデータを読み書きする読み書き手段と；
上記通信回線経由で画像データ受信時に、その通信に関する受信情報を取得する受信情報取得手段と；
上記取得した受信情報と、受信画像データとを、互いに関連付けて、上記記録メディアに書き込む書き込み手段と；
を有することを特徴とする情報通信装置。
【請求項２】
請求項１において、
ビットマップ画像を表示可能な表示手段と；
上記記録メディアに格納されている画像データの内容を、上記表示画面にプレビュー表示するプレビュー表示制御手段と；
上記記録メディアに格納されている所定の画像データに関連付けて上記記録メディアに書き込まれている上記受信情報が存在すれば、上記通信回線経由で受信した画像データであることを識別できるように、上記画像データと上記受信情報を上記表示手段に表示する表示制御手段と；
を有することを特徴とする情報通信装置。
【請求項３】
請求項１において、
上記記録メディアに格納されている画像データを印刷する印刷手段を有し、
上記記録メディアに格納されている画像データに関連付けられて上記記録メディアに書き込まれている上記受信情報が存在すれば、上記通信回線経由で受信した画像データであることを識別できるように、上記印刷手段は、上記受信情報を、上記画像データとともに出力用紙に印刷することを特徴とする情報通信装置。
【請求項４】
請求項１〜請求項３のいずれか１項において、
上記受信情報は、受信時刻情報であることを特徴とする情報通信装置。
【請求項５】
請求項１〜請求項３のいずれか１項において、
上記受信情報は、送信者電話番号であることを特徴とする情報通信装置。
【請求項６】
請求項１〜請求項３のいずれか１項において、
上記受信情報は、送信者名であることを特徴とする情報通信装置。
【発明の詳細な説明】
【技術分野】
【０００１】
本発明は、電話回線等の通信路を介して、カラー画像電子データを送受信するファクシミリ装置等の情報通信装置に関する。
【背景技術】
【０００２】
従来のファクシミリ装置において、カラー情報の送信は、ＩＴＵ−Ｔ勧告Ｔ．８２で規定されているＪＰＥＧ符号化を用い、ＩＴＵ−Ｔ勧告Ｔ．４２の色空間Ｌａｂで、ＪＰＥＧ画像を作成し、送信する。
【０００３】
しかし、送信側の機器から送信されるカラー情報の色空間と符号化方式とに応じて、受信側の機器が、カラー情報の処理方法を切り替える手法が知られている（たとえば、特許文献１参照）。
【０００４】
この手法によって、送信側は、受信側が対応していれば、カラー画像データを従来のＬａｂ色空間によるＪＰＥＧデータ（以降、「Ｌａｂ−ｊｐｅｇ」という）ではなく、デジタルカメラ等の機器で広く用いられているＹＣｂＣｒ色空間によって表現されたＪＰＥＧデータ（以降、「ＹＣＣ−ｊｐｅｇ」という）を、ＹＣｂＣｒ→Ｌａｂの色変換の過程で、画像劣化させることなく送信することができる。
【０００５】
また、カラーファクシミリの受信画像（Ｌａｂ−ｊｐｅｇ）を、ＹＣＣ−ｊｐｅｇに変換し、上記ファクシミリ装置に装着されている記録メディアに、ＤＣＦ（Ｄｅｓｉｇｎ−ｒｕｌｅ  ｆｏｒ  Ｃａｍｅｒａ  Ｆｉｌｅ  ｓｙｓｔｅｍ）形式で書き込む技術も知られている（たとえば、特許文献２参照）。
【０００６】
なお、「ＤＣＦ」は、ＣＦカード等の記録メディアに、画像ファイルをどのような構成（ファイル名、ツリー構造等）で記録するかを定めた規格であり、デジタルカメラ等で広く採用されている。
【０００７】
カラーファクシミリの中には、キヤノン社製ＣＦ−Ｈ３０ＣＬ等のように、ＤＣＦ形式で記録メディアに書き込まれた画像データを、カラー印刷することができるデジタルカメラ等が存在するが、上記のように受信画像データを、デジタルカメラと同じＤＣＦ形式で記録メディアに書き込むことによって、デジタルカメラで撮影し、記録メディアに書き込まれた画像を、電話回線経由で受信し、記録メディアに書き込んだ画像を、上記と同様の操作で印刷することができる。
【特許文献１】特開２００３−２２４７２９号公報
【特許文献２】特開２００３−１８３３９号公報
【発明の開示】
【発明が解決しようとする課題】
【０００８】
特許文献２において、受信側のファクシミリ装置が、受信画像を記録メディアにＤＣＦ形式で書き込む場合、その記録メディアがデジタルカメラと共用されているものであると、ファクシミリ装置とデジタルカメラとのどちらも、ＤＣＦ形式で記録メディアに書き込むので、書き込まれた後では、記録メディア内の各画像が、デジタルカメラで記録した画像であるのか、他人から電話回線経由で送られた画像であるのかを、受信側ファクシミリ装置のユーザが見分けることができないという問題がある。
【０００９】
また、記録メディアに書き込まれた画像が、電話回線経由で送られたものである場合、受信側ファクシミリ装置のユーザが、ナンバーディスプレイに加入していれば、その画像の送信者の電話番号を特定することができ、その情報から送信者の名前を特定することもできるが、しかし、ＤＣＦ規格は、それらの情報を格納するようにはできていないので、受信画像を記録メディアに書き込んだ時点で、それらの情報は失われ、後で、その受信画像を確認・印刷する際に、その画像がいつ誰から送られたものであるのかが、全くわからなくなるという問題がある。
【００１０】
本発明は、情報通信装置が、通信回線経由でカラー画像データを受信した場合、ユーザが、情報通信装置の表示画面で、画像を閲覧するときに、閲覧した画像が、自分がデジカメで撮影した撮影画像であるのか、それとも受信画像であるのかという区別を、ユーザが行うことが容易であり、また、受信画像であれば、その画像データの送信者名等を確認することができる情報通信装置を提供することを目的とするものである。
【課題を解決するための手段】
【００１１】
本発明は、通信回線経由で、画像データを送受信可能な情報通信装置において、デジタルカメラで利用可能であり、かつ、着脱可能な記録メディアに、デジタルデータを読み書きする読み書き手段と、上記通信回線経由で画像データ受信時に、その通信に関する受信情報を取得する受信情報取得手段と、上記取得した受信情報と、受信画像データとを、互いに関連付けて、上記記録メディアに書き込む書き込み手段とを有することを特徴とする情報通信装置である。
【発明の効果】
【００１２】
本発明によれば、情報通信装置が、通信回線経由でカラー画像データを受信した際に、同時に得られる送信者電話番号等の受信情報を、受信画像データとともに記録メディアに書き込むので、ユーザが、情報通信装置の表示画面で、画像を閲覧する際に、その画像とともに上記受信情報を表示画面に表示し、また、ユーザが、画像を印刷したときに、その画像とともに上記受信情報を印字し、したがって、その画像が、自分がデジカメで撮影した撮影画像であるのか、それとも受信画像であるのかという区別を、ユーザが容易に行うことができるという効果を奏し、また、受信画像であれば、その画像データの送信者名等を確認することができるという効果を奏する。
【発明を実施するための最良の形態】
【００１３】
発明を実施するための最良の形態は、次の実施例である。
【実施例１】
【００１４】
図１は、本発明の実施例１であるファクシミリ装置ＦＳ１を示すブロック図である。
【００１５】
ファクシミリ装置ＦＳ１は、画像読取部１０と、メモリ２０と、ＣＰＵ３０と、プリンタ４０と、モデム装置５０と、スロット７０と、表示部８０とを有する。
【００１６】
画像読取部１０は、原画像をスキャンし、ラスタ順次のデジタルＲＧＢ画像データに変換する。
【００１７】
メモリ２０は、画像読取部１０、またはモデム５０経由で受信した画像データを、一時的に格納し、ＣＰＵ３０が扱う各種情報を格納する。
【００１８】
ＣＰＵ３０は、システム全体を制御する。
【００１９】
プリンタ４０は、モデム５０経由で受信した画像データ、画像読取部１０で読み取った画像データを、カラーまたはモノクロで印字する。
【００２０】
モデム装置５０は、通常の電話回線等と接続され、他のファクシミリ装置の端末等との間で画像データを送受信する。
【００２１】
記録メディア６０は、デジタルデータを記録し、ＣＦカードやＳＤカード等が存在する。記録メディア６０は、汎用のものであり、ファクシミリ装置ＦＳ１とは無関係なデジタルカメラと共用することができる。
【００２２】
スロット７０は、記録メディア６０を装着し、スロット７０経由で、ＣＰＵ３０は、記録メディア６０に、デジタルデータの読み書きを行うことができる。
【００２３】
表示部８０は、ビットマップ画像データを表示する。
【００２４】
次に、ファクシミリ装置ＦＳ１とは異なるファクシミリ装置ＦＳ２が、送信側ファクシミリ装置ＦＳ１から通信回線経由でカラー画像データを受信し、記録メディア６０に、その受信データを書き込むまでの動作の詳細について説明する。
【００２５】
なお、ファクシミリ装置ＦＳ２の構成は、ファクシミリ装置ＦＳ１の構成と同様である。
【００２６】
図２は、ファクシミリ装置ＦＳ２が、送信側ファクシミリ装置ＦＳ１から通信回線経由でカラー画像データを受信し、記録メディア６０に、その受信データを書き込むまでの動作を示すフローチャートである。
【００２７】
Ｓ１では、ファクシミリ装置ＦＳ２が、ファクシミリ装置ＦＳ１から呼を受け付ける。
【００２８】
Ｓ２では、ファクシミリ装置ＦＳ２のＣＰＵが、この呼に対して、受信時刻をメモリ６０に格納し、また、可能ならば、送信者電話番号や送信者名を得る。これらを、この呼に関する受信情報として、まとめてメモリ２０に格納する。
【００２９】
ファクシミリ装置ＦＳ２のユーザＵ２がナンバーディスプレイを使用していれば、ファクシミリ装置ＦＳ１の電話番号を得ることができる。また、同じく、ユーザＵ２が、ネームディスプレイを使用している場合や、ファクシミリ装置ＦＳ２の電話帳に該電話番号が登録してあれば、電話番号から電話帳を検索し、ファクシミリ装置ＦＳ１の使用者名を得ることができる。それぞれの手法は、公知であるので、その詳細な説明を割愛する。
【００３０】
Ｓ３では、ファクシミリ装置ＦＳ２が、ファクシミリ装置ＦＳ１から送信された画像データを受信する。受信した画像データは、一旦メモリ２０に格納される。
【００３１】
Ｓ４で、受信が正常に終了すると、ＣＰＵ３０は、受信画像データを新たにファイルとして、ＤＣＦ形式に従って記録メディア６０に書き込む。
【００３２】
Ｓ５では、Ｓ２で得た受信情報を、Ｓ４と同じく書き込む。この際、拡張子を除いて、受信情報のファイル名として、Ｓ４で書き込んだ画像ファイル名と同じ画像ファイル名を使用する。拡張子は、．ＴＸＴとする。
【００３３】
すなわち、Ｓ４において、受信画像データを記録メディア６０に書き込む際のファイル名が、たとえば￥ＤＣＩＭ￥１０１○○○○○￥ＣＦＡＸ０００５．ＪＰＧであった場合は、受信情報のファイル名は、￥ＤＣＩＭ￥１０１○○○○○￥ＣＦＡＸ０００５．ＴＸＴになる。この受信情報ファイルの中身は、たとえば以下のようなテキストファイルになる。そして、フローチャートの処理が終了する。
［ＩｍａｇｅＦｉｌｅＮａｍｅ］  ￥ＤＣＩＭ￥１０１○○○○○￥ＣＦＡＸ０００５．ＪＰＧ
［ＲｅｃｅｉｖｅＴｉｍｅ］  ２００３／１２／１９  １８：０３：３４
［ＣａｌｌｅｒＩＤ］        ０９９９９９９９９９
［ＣａｌｌｅｒＮａｍｅ］  織田信長
上記例のうち、
［ＩｍａｇｅＦｉｌｅＮａｍｅ］の項は、この受信情報ファイルに対応した受信画像データのファイル名である。
［ＲｅｃｅｉｖｅＴｉｍｅ］の項は、この受信画像データを受信した日付・時刻である。
［ＣａｌｌｅｒＩＤ］の項は、ナンバーディスプレイによって取得した送信元電話番号である。
［ＣａｌｌｅｒＮａｍｅ］の項は、ネームディスプレイから、または上記送信元電話番号から、ファクシミリ装置ＦＳ２の電話帳を検索して得た送信者の名前である。
【００３４】
次に、実施例１において、記録メディア６０に書き込まれている画像データの内容を、ファクシミリ装置ＦＳ１のユーザが印刷する際に、ＣＰＵ３０が動作するアルゴリズムについて説明する。
【００３５】
図３は、実施例１において、記録メディア６０に書き込まれている画像データの内容を、ファクシミリ装置ＦＳ１のユーザが印刷する際に、ＣＰＵ３０が動作するアルゴリズムを示すフローチャートである。
【００３６】
上記記録メディア６０には、ファクシミリ装置ＦＳ１とは関係ないデジタルカメラで撮影し、ＤＣＦ形式で書き込んだ画像データと、ファクシミリ装置ＦＳ１が電話回線経由で受信した画像データを、図２に示すフローチャートに従って、ＤＣＦ形式で書き込んだ画像データとが混在しているとする。
【００３７】
Ｓ１１では、ユーザが、ファクシミリ装置ＦＳ１のスロット７０に、上記記録メディア６０を差し込む。Ｓ１２では、ＣＰＵ３０が、記録メディア６０の挿入を検知し、記録メディア６０の内容をＤＣＦ形式に従って調べる。Ｓ１３では、ＣＰＵ３０が、記録メディア６０内部の画像ファイルをＤＣＦ規格に従って番号でソートする。
【００３８】
Ｓ１４では、ＣＰＵ３０が、未表示で、最も番号の若いファイルのファイル名を得る。これを注目画像ファイルとする。たとえば￥ＤＣＩＭ￥１００○○○○○￥ＤＣＩＭ０００３．ＪＰＧが、注目画像ファイルであるとする。
【００３９】
Ｓ１５では、ＣＰＵ３０が、注目画像ファイルに対応する受信情報ファイルを探す。注目画像ファイルに対応する受信情報ファイルは、Ｓ１４のファイル名のうち拡張子だけを．ＴＸＴに変更したファイル名を持つファイルである。つまり、注目画像ファイルに対応する受信情報ファイルは、￥ＤＣＩＭ￥１００○○○○○￥ＤＣＩＭ０００３．ＴＸＴである。この注目画像ファイルに対応する受信情報ファイルが存在すれば、Ｓ１７へ進み、注目画像ファイルに対応する受信情報ファイルが存在しなければ、Ｓ１６へ進む。
【００４０】
図４は、表示部８０における表示例を示す図である。
【００４１】
Ｓ１６では、注目画像ファイルは、デジタルカメラでの撮影画像であり、ＣＰＵ３０が、注目画像ファイルの画像データを、図４（ａ）に示すように、表示部８０に表示し、Ｓ２０へ進む。
【００４２】
Ｓ１７では、注目画像ファイルは、ファクシミリ装置ＦＳ１が通信回線から得た受信画像であり、ＣＰＵ３０が、Ｓ１５の受信情報ファイルを記録メディア６０から読み込む。Ｓ１８では、ＣＰＵ３０が、読み込んだ受信情報ファイルを解析し、送信元電話番号等の、注目画像ファイルに関する受信情報を得る。
【００４３】
Ｓ１９では、ＣＰＵ３０が、注目画像ファイルの画像データと、Ｓ１８で得た受信情報とを合わせて、図４（ｂ）に示すように、表示部８０に表示する。なお、受信者名が得られなかった場合は、図４（ｃ）に示すように、表示部８０に表示する。
【００４４】
Ｓ２０では、ユーザが操作部を見ると、受信情報表示の有無によって、注目画像ファイルが、撮影画像であるのか、受信画像であるのかを、ユーザが確認することができる。ユーザは、注目画像ファイルを印刷するのか、次の画像ファイルに移るのかを選択する。注目画像ファイルを印刷するのであれば、Ｓ２１へ進み、次の画像ファイルに移るのであれば、Ｓ１４へ進む。
【００４５】
図５は、プリンタ４０が印刷した印刷例を示す図である。
【００４６】
Ｓ２１では、この画像に関する受信情報（注目画像ファイルに対応する受信情報ファイル）がなければＳ２２へ進み、その受信情報があれば、Ｓ２３へ進む。Ｓ２２では、図５（ａ）に示すように、出力用紙に注目画像だけを印刷し、終了する。Ｓ２３では、図５（ｂ）に示すように、出力用紙に注目画像と受信情報の内容とを印刷し、終了する。
【００４７】
ファクシミリ装置ＦＳ１のＣＰＵ３０が、上記処理を行うので、ユーザは、ファクシミリ装置ＦＳ１の表示画面で画像を確認したときに、ファクシミリ装置ＦＳ１の表示画面に受信情報の内容が表示されていれば、その画像が受信画像であることを認識することができ（受信情報がなければ、撮影画像であることを認識することができ）、また、画像印刷時には、出力用紙に注目画像とともに受信情報の内容が印刷されていれば、受信画像であることを認識できる。
【００４８】
つまり、上記実施例において、受信側ファクシミリ装置ＦＳ２は、送信側ファクシミリ装置ＦＳ１からの呼を受け付けた際に、その呼に関する受信情報を一旦、受信側ファクシミリ装置ＦＳ２のメモリに記憶し、その呼がカラー画像通信である場合、受信し終わった後に、その画像データを、受信側ファクシミリ装置ＦＳ２に装着されている記録メディア６０にＤＣＦ形式で書き込むと同時に、上記受信情報を、上記画像データに関連付けて記録メディア６０に記録する。
【００４９】
そして、ファクシミリ装置ＦＳ２のユーザＵ２が、後からファクシミリ装置ＦＳ２を操作し、記録メディア６０内の各画像データを閲覧したり印刷したりする際に、ユーザＵ２が各画像データを指定すると、その画像に関してその受信情報があるかないかを検索し、受信情報があれば、ファクシミリ装置ＦＳ２の表示画面にその内容を表示することによって、受信側ファクシミリ装置ＦＳ２のユーザＵ２は、自分の指定した画像が、撮影画像であるのか、受信画像であるのかを、区別することができ、受信画像であれば、受信時刻等の受信情報も知ることができる。または、ユーザＵ２が、記録メディア６０内の画像データを指定して印刷する場合、指定された画像データに関連した受信情報が上記記録メディア６０内に存在すれば、その受信情報を上記画像データとともに印刷することによって、上記と同様の効果を得ることができる。
【００５０】
なお、ここでいう受信情報は、たとえば、受信側装置がその画像データを受信した時刻、送信者電話番号、送信者名称である。
【００５１】
なお、上記実施例を、カラー画像電子データを送受信するパソコン等、ファクシミリ装置ＦＳ１以外の情報通信装置に適用するようにしてもよい。
【図面の簡単な説明】
【００５２】
【図１】本発明の実施例１であるファクシミリ装置ＦＳ１のブロック図である。
【図２】ファクシミリ装置ＦＳ２が、送信側ファクシミリ装置ＦＳ１から通信回線経由でカラー画像データを受信し、記録メディア６０に、その受信データを書き込むまでの動作を示すフローチャートである。
【図３】実施例１において、記録メディア６０に書き込まれている画像データの内容を、ファクシミリ装置ＦＳ１のユーザが印刷する際に、ＣＰＵ３０が動作するアルゴリズムを示すフローチャートである。
【図４】表示部８０における表示例を示す図である。
【図５】プリンタ４０が印刷した印刷例を示す図である。
【符号の説明】
【００５３】
ＦＳ１…送信側ファクシミリ装置、
ＦＳ２…受信側ファクシミリ装置、
１０…画像読取部、
２０…メモリ、
３０…ＣＰＵ、
４０…プリンタ、
５０…モデム、
６０…記録メディア、
７０…記録メディアスロット、
８０…表示部。
【図１】
2006165794.tif 000003
【図２】
2006165794.tif 000004
【図３】
2006165794.tif 000005
【図４】
2006165794.tif 000006
【図５】
2006165794.tif 000007